(57)【要約】【課題】高周波誘導加熱で焼入れ処理された等速ジョイントの外輪の硬化層を、製品歩留りを必要以上に低下させることなく、かつ、不良品が出荷されないように、的確に検査できるようにすることである。【解決手段】加熱コイル３ａで誘導加熱された後、冷却水噴射ノズル４ａで焼入れ処理された等速ジョイント外輪１１の硬化層を検査する渦流式検査装置５を設け、この渦流式検査装置５のプローブ５ａを、上下の固定具１ａ、１ｂに位置決め固定された等速ジョイント外輪１１の所定の部位に接近するように進退可能とすることにより、焼入れ処理後の等速ジョイント外輪１１を固定具１ａ、１ｂに位置決め固定したまま、各製品毎にその所定部位の硬化層を検査し、製品歩留りを必要以上に低下させることなく、かつ、不良品が出荷されないように、的確に検査できるようにした。【選択図】図１
2008174806.tif 000002
【特許請求の範囲】
【請求項１】
等速ジョイント外輪を位置決め固定する固定具と、位置決め固定された等速ジョイント外輪を、高周波で誘導加熱する加熱コイルと、誘導加熱後に焼入れ処理する冷却手段とを備えた等速ジョイント外輪の高周波熱処理装置において、前記焼入れ処理された等速ジョイント外輪の硬化層を検査する渦流式または超音波式の非破壊検査装置を設け、この非破壊検査装置のプローブを、前記固定具に位置決め固定された等速ジョイント外輪の所定の部位に接近するように進退可能としたことを特徴とする等速ジョイント外輪の高周波熱処理装置。
【請求項２】
前記等速ジョイント外輪の誘導加熱条件と焼入れ処理の冷却条件との実績値と、前記非破壊検査装置による等速ジョイント外輪の硬化層の検査結果とを、その製品番号と対応させて記録する記録装置を設けた請求項１に記載の等速ジョイント外輪の高周波熱処理装置。
【発明の詳細な説明】
【技術分野】
【０００１】
本発明は、等速ジョイントの外輪を高周波誘導加熱によって焼入れ処理する等速ジョイント外輪の高周波熱処理装置に関する。
【背景技術】
【０００２】
等速ジョイントの外輪は、カップ部と軸部等の相手ハブとの嵌合部からなり、転動体が転動する複数のトラック溝がカップ部の内径面に設けられている。また、軸部にセレーション等の歯型部が形成された部分を有するものもある。このような等速ジョイント外輪は、高周波誘導加熱によって焼入れ処理されることが多い（例えば、特許文献１参照）。
【０００３】
従来、このように高周波誘導加熱で焼入れ処理された等速ジョイント外輪は、後の検査工程における抜き取り検査によって、所定の部位に硬化層が適切に形成されているか否かを検査されている。通常、この抜き取り検査は、ロット毎に抽出した製品サンプルを切断して、その切断面をエッチングまたは硬度測定することにより、硬化層の深さを検査しており、サンプルの硬化層が適切に形成されていない場合は、当該ロットの全ての製品を不良品として廃棄している。
【０００４】
【特許文献１】特開平５−９５８４号公報
【発明の開示】
【発明が解決しようとする課題】
【０００５】
上述した等速ジョイント外輪の硬化層の抜き取り検査による従来の検査方法は、抽出した製品サンプルが不良品と判定されると、良品も存在する可能性のある当該ロット全ての製品を廃棄する必要があり、製品歩留りが必要以上に低下する問題がある。また、製品サンプルが良品と判定された場合であっても、当該ロットに不良品が混在して、そのまま出荷される恐れもある。さらに、抜き取り検査は、製品サンプルを切断する破壊検査であるので、サンプル分が歩留り低下となる。
【０００６】
そこで、本発明の課題は、高周波誘導加熱で焼入れ処理された等速ジョイントの外輪の硬化層を、製品歩留りを必要以上に低下させることなく、かつ、不良品が出荷されないように、的確に検査できるようにすることである。
【課題を解決するための手段】
【０００７】
上記の課題を解決するために、本発明は、等速ジョイント外輪を位置決め固定する固定具と、位置決め固定された等速ジョイント外輪を、高周波で誘導加熱する加熱コイルと、誘導加熱後に焼入れ処理する冷却手段とを備えた等速ジョイント外輪の高周波熱処理装置において、前記焼入れ処理された等速ジョイント外輪の硬化層を検査する渦流式または超音波式の非破壊検査装置を設け、この非破壊検査装置のプローブを、前記固定具に位置決め固定された等速ジョイント外輪の所定の部位に接近するように進退可能とした構成を採用した。
【０００８】
すなわち、焼入れ処理された等速ジョイント外輪の硬化層を検査する渦流式または超音波式の非破壊検査装置を設け、この非破壊検査装置のプローブを、固定具に位置決め固定された等速ジョイント外輪の所定の部位に接近するように進退可能とすることにより、焼入れ処理後の等速ジョイント外輪を固定具に位置決め固定したまま、各製品毎にその所定部位の硬化層を検査し、製品歩留りを必要以上に低下させることなく、かつ、不良品が出荷されないように、的確に検査できるようにした。
【０００９】
前記等速ジョイント外輪の誘導加熱条件と焼入れ処理の冷却条件との実績値と、前記非破壊検査装置による等速ジョイント外輪の硬化層の検査結果とを、その製品番号と対応させて記録する記録装置を設けることにより、製品の品質保証を的確に行うことができる。なお、記録する誘導加熱条件としては、電源電圧、周波数、加熱時間、ワークと加熱コイルとの距離、固定具でワークを回転させる場合はワークの回転速度等を挙げることができ、焼入れ処理の冷却条件としては、焼入れ冷却水の流量、温度、冷却時間等を挙げることができる。
【発明の効果】
【００１０】
本発明の等速ジョイント外輪の高周波熱処理装置は、焼入れ処理された等速ジョイント外輪の硬化層を検査する渦流式または超音波式の非破壊検査装置を設け、この非破壊検査装置のプローブを、固定具に位置決め固定された等速ジョイント外輪の所定の部位に接近するように進退可能としたので、焼入れ処理後の等速ジョイント外輪を固定具に位置決め固定したまま、各製品毎にその所定部位の硬化層を検査して、製品歩留りを必要以上に低下させることなく、かつ、不良品が出荷されないように、的確に検査することができる。
【００１１】
前記等速ジョイント外輪の誘導加熱条件と焼入れ処理の冷却条件の実績値と、非破壊検査装置による等速ジョイント外輪の硬化層の検査結果とを、その製品番号と対応させて記録する記録装置を設けることにより、製品の品質保証を的確に行うことができる。
【発明を実施するための最良の形態】
【００１２】
以下、図面に基づき、本発明の実施形態を説明する。この等速ジョイント外輪の高周波熱処理装置は、図１に示すように、カップ部１１ａと軸部１１ｂを有する等速ジョイント外輪１１を、縦向きに位置決め固定する上下の固定具１ａ、１ｂと、下側の固定具１ｂを水平面内で回転させる回転駆動装置２と、位置決め固定された等速ジョイント外輪１１を、高周波電源３で誘導加熱するヘアピンコイルの加熱コイル３ａと、誘導加熱後に焼入れ処理する冷却手段としての冷却水噴射ノズル４ａを有する冷却装置４と、焼入れ処理された等速ジョイント外輪１１の硬化層を検査する複数のプローブ５ａを有する渦流式検査装置５とを備えている。加熱コイル３ａと各プローブ５ａは、固定具１ａ、１ｂに位置決め固定された等速ジョイント外輪１１に向かって進退可能とし、回転駆動装置２、高周波電源３、冷却装置４および渦流式検査装置５の各制御盤はコンピュータ６に接続されている。
【００１３】
図２に示すように、前記等速ジョイント外輪１１を誘導加熱するときは、加熱コイル３ａが等速ジョイント外輪１１の外周側に接近して位置決めされ、高周波電源３からの所定の電圧と周波数で等速ジョイント外輪１１を誘導加熱する。このとき、下側の固定具１ｂは回転駆動装置２によって回転駆動され、等速ジョイント外輪１１は水平面内で回転しながら誘導加熱される。加熱コイル３ａは等速ジョイント外輪１１を所定の加熱時間だけ加熱すると後退し、こののち、冷却装置４の冷却水噴射ノズル４ａから冷却水が噴射されて、等速ジョイント外輪１１が焼入れ処理される。
【００１４】
前記誘導加熱した際の電源電圧、周波数、加熱時間、等速ジョイント外輪１１と加熱コイル３ａとの距離、等速ジョイント外輪１１の回転速度、および、焼入れ処理した際の冷却水の流量、温度、冷却時間等の実績値は、その製品番号と対応させてコンピュータ６に記録される。
【００１５】
図３に示すように、前記等速ジョイント外輪１１の焼入れ処理が終了すると、渦流式検査装置５の各プローブ５ａが、等速ジョイント外輪１１の所定の部位に接近し、回転駆動装置２によって水平面内で回転する等速ジョイント外輪１１の硬化層を、所定の部位の円周方向で検査する。この渦流式検査装置５による硬化層の検査結果も、前記誘導加熱条件と焼入れ処理の冷却条件の実績値と一緒に、製品番号と対応させてコンピュータ６に記録される。
【００１６】
上述した実施形態では、硬化層を検査する非破壊検査装置を渦流式検査装置としたが、この非破壊検査装置は超音波式検査装置とすることもできる。また、加熱コイルを等速ジョイント外輪の軸方向に延びるヘアピンコイルとして、誘導加熱される等速ジョイント外輪を水平面内で回転させるようにしたが、加熱コイルを等速ジョイント外輪の周方向に周回するソレノイドコイルとし、等速ジョイント外輪を回転させずに誘導加熱することもできる。
【図面の簡単な説明】
【００１７】
【図１】等速ジョイント外輪の高周波熱処理装置の実施形態を示す正面図
【図２】図１の高周波熱処理装置で等速ジョイント外輪を誘導加熱する状態を示す要部拡大正面図
【図３】図１の高周波熱処理装置で等速ジョイント外輪の硬化層を検査する状態を示す要部拡大正面図
【符号の説明】
【００１８】
１ａ、１ｂ  固定具
２  回転駆動装置
３  高周波電源
３ａ  加熱コイル
４  冷却装置
４ａ  冷却水噴射ノズル
５  渦流式検査装置
５ａ  プローブ
６  コンピュータ
１１  等速ジョイント外輪
１１ａ  カップ部
１１ｂ  軸部
【図１】
2008174806.tif 000003
【図２】
2008174806.tif 000004
【図３】
2008174806.tif 000005